(57)【要約】【課題】  既設の遊技設備に後付けが可能で且つ個々の装置のＯＮ・ＯＦＦを遊技者が任意で操作できる空気吹出機を備えた遊技設備を提供する。【解決手段】  空気吹出機７は、取付面を備えた断面Ｌ型のケースの先端にスリット状の吹出口を形成し、ケースの正面に光センサ用のセンサ穴を形成し、ケースの後部に吹出口の吹き出し方向と直交する方向から空気を吸い込む吸込口を形成し、ケース内にモータで回転するファンをその回転軸方向が吸い込み方向と並行となるように設け、ファンの回転で吸込口から吸い込んだ空気を直交方向に転向しながら吹出口に送って吹き出すようにした構造である。この空気吹出機７を既設の遊技設備１の遊技機２間の境界領域にエアカーテンを形成できる吹き出し向きに取り付ける。【選択図】図２
2007111416.tif 000002
【特許請求の範囲】
【請求項１】
複数の遊技機が並列された既設の遊技設備において、各遊技機の間に遊技機の遊技者が操作できる操作スイッチを備えた空気吹出機を遊技機間の境界領域にエアカーテンを形成できる吹き出し向きに取り付け、エアカーテンを形成するか否かを遊技者が選択できるようにしたことを特徴とする、遊技設備。
【請求項２】
空気吹出機を脱着可能に取り付けた、請求項１記載の遊技設備。
【請求項３】
空気吹出機を粘着テープで粘着して取り付けるようにした、請求項１又は２記載の遊技設備。
【請求項４】
空気吹出機を遊技機の前面のテーブルの側端部に吹出口が上方へ向くように取り付けた、請求項１〜３いずれか記載の遊技設備。
【請求項５】
空気吹出機が、取付面を備えた断面Ｌ型のケースの先端にスリット状の吹出口を形成し、ケースの後部に吹出口の吹き出し方向と直交する方向から空気を吸い込む吸込口を形成し、ケース内にモータで回転するファンをその回転軸方向が吸い込み方向と並行となるように設け、ファンの回転で吸込口から吸い込んだ空気を直交方向に転向しながら吹出口に送って吹き出すようにした構造である、請求項１〜４いずれか記載の遊技設備。
【請求項６】
操作スイッチが非接触式の光センサである、請求項１〜５いずれか記載の遊技設備。
【請求項７】
空気吹出機の電源が、遊技機の下方に取り付けられる伸縮自在のフレーム内に電源ケーブルを配線し、フレームの途中から電源ケーブルを分岐させて所定位置の空気吹出機と接続して給電できるようにしたものである、請求項１〜６いずれか記載の遊技設備。
【発明の詳細な説明】
【技術分野】
【０００１】
本発明は、複数並列されたパチンコ機やスロットマシン等の遊技機間にエアカーテンを形成してタバコの煙，遊技機近辺の冷暖房の風，人が動いた際の風等に含まれるゴミ・ホコリを遮断又は変向して他の人に障害や不快感を与えないようにする技術に関する。
【背景技術】
【０００２】
従来、遊技場は喫煙により空気が汚染し易いから大型の空調設備が備えられている。遊技者は遊技機の前に着座して喫煙しながら遊技し、タバコから出た煙はホールの天井面の吸込口から吸い込まれる。しかし、ホールの天井は高いから煙の吸い込みが迅速に行われず煙が滞留し易くなり、遊技者の健康を害したり隣接する遊技者に不快感を与える問題があった。
【０００３】
そこで、各遊技機間に空気を吹き出して遊技者間を空気流で遮断するエアカーテンを形成する技術が特許文献１〜３に開示されている。しかし、これらの技術はエアカーテン装置が遊技設備に予め組み込まれた構成であるから、エアカーテン装置は遊技設備の構造に依存した設計にならざるを得ず、汎用性に劣りコストがかかるものであった。また、エアカーテン装置は遊技者が操作できるものではないから、空気流が気になる遊技者は遊技に集中できない問題があり、遊技者がいない箇所でも作動するから無駄があった。
【特許文献１】特開平８−２４７５２０号公報
【特許文献２】特開平１０−１１８３２７号公報
【特許文献３】特開平１０−７１２６３号公報
【発明の開示】
【発明が解決しようとする課題】
【０００４】
本発明が解決しようとする課題は、従来のこれらの問題点を解消し、既設の遊技設備に後付けや脱着が可能で且つ個々の装置のＯＮ・ＯＦＦを遊技者が任意で操作できる空気吹出機を備えた遊技設備を提供することにある。
【課題を解決するための手段】
【０００５】
かかる課題を解決した本発明の構成は、
１）  複数の遊技機が並列された既設の遊技設備において、各遊技機の間に遊技機の遊技者が操作できる操作スイッチを備えた空気吹出機を遊技機間の境界領域にエアカーテンを形成できる吹き出し向きに取り付け、エアカーテンを形成するか否かを遊技者が選択できるようにしたことを特徴とする、遊技設備
２）  空気吹出機を脱着可能に取り付けた、前記１）記載の遊技設備
３）  空気吹出機を粘着テープで粘着して取り付けるようにした、前記１）又は２）記載の遊技設備
４）  空気吹出機を遊技機の前面のテーブルの側端部に吹出口が上方へ向くように取り付けた、前記１）〜３）いずれか記載の遊技設備
５）  空気吹出機が、取付面を備えた断面Ｌ型のケースの先端にスリット状の吹出口を形成し、ケースの後部に吹出口の吹き出し方向と直交する方向から空気を吸い込む吸込口を形成し、ケース内にモータで回転するファンをその回転軸方向が吸い込み方向と並行となるように設け、ファンの回転で吸込口から吸い込んだ空気を直交方向に転向しながら吹出口に送って吹き出すようにした構造である、前記１）〜４）いずれか記載の遊技設備
６）  操作スイッチが非接触式の光センサである、前記１）〜５）いずれか記載の遊技設備
７）  空気吹出機の電源が、遊技機の下方に取り付けられる伸縮自在のフレーム内に電源ケーブルを配線し、フレームの途中から電源ケーブルを分岐させて所定位置の空気吹出機と接続して給電できるようにしたものである、前記１）〜６）いずれか記載の遊技設備
にある。
【発明の効果】
【０００６】
本発明によれば、個々の空気吹出機が小型で操作スイッチを備えているから、既設の遊技設備の所定位置に後付けや取り外しが低コスト且つ容易に行えて汎用性に優れ、また操作スイッチにより遊技者や遊技設備の管理者が必要に応じてＯＮ・ＯＦＦでき、無駄がなく使い勝手に優れる。
【発明を実施するための最良の形態】
【０００７】
本発明では、空気吹出機は粘着テープ，面ファスナー，取付ネジ，マグネット等を単体又は組み合わせて取り付けられる。操作スイッチは非接触式の光スイッチの他、接触式や機械式（ボタン，レバー類）等から選ばれる。空気吹出機はスイッチを入れた後常時作動させてもよいし、タイマを内蔵させて３〜５分間程作動して自動的に停止又は数分おきに間欠的に作動させるようにしてもよい。風力はボリューム等で任意に調整できるようにしてもよい。吹出口付近には香料を配設して香りの良い空気を吹き出させたり臭気を分解できる光触媒を配設し、タバコの煙等の嫌な臭気を低減できるようにしてもよい。空気吹出機は一般的に下方から上方へ向けて吹き出すように取り付けるが、上方から下方へ向けて吹き出すように取り付けてもよく、吹き出し向きは遊技設備の形態に応じて任意に選ばれる。空気流は強制排気型（ブロワー方式）や扇風機方式があり、設置場所や吹き出し向き等に応じて任意に選択される。以下、本発明の実施例を図面に基づいて具体的に説明する。
【実施例１】
【０００８】
図１は実施例の遊技設備の正面図、図２は実施例の遊技設備の側面図、図３は実施例の空気吹出機の斜視図、図４は実施例の空気吹出機の分解斜視図、図５は実施例の空気吹出機の空気の吹き出しを示す説明図、図６は実施例の電源手段の説明図である。
【０００９】
図中、１は遊技設備、２は遊技機、３はナンバーランプ、４は幕板、５はテーブル、６は椅子、７は空気吹出機、７ａはケース、７ｂはセンサ穴、７ｃは吹出口、７ｄはケース、７ｅは固定部、７ｆは支持部、７ｇはモータ、７ｈはファン、７ｉはコネクタ、７ｊはカバー、７ｋは掛止爪、７ｍは粘着テープ、７ｎは光センサ、７ｐは制御基盤、７ｑは吸込口、８はフレーム、９は連結部、１０は電源ケーブル、１１は分岐ケーブル、１１ａはコネクタ、１２は粘着テープ、１３はスイッチング電源、Ａは空気、Ｈは遊技者、Ｓは煙である。
【００１０】
本実施例の空気吹出機７は、図３〜５に示すようにプラスチック又は金属の一対のケース７ａ，７ｄと１．５Ｖで駆動するモータ７ｇとファン７ｈと光センサ７ｎと制御基盤７ｐとから構成される。ケース７ａの正面上部には光センサ７ｎ用のセンサ穴７ｂが開口され、上端には空気Ａの吹出口７ｃが形成され、内側はファン７ｈが配置される空間とその回転により送られる空気Ａの流れる空間が形成されている。
【００１１】
ケース７ｄは上端に空気Ａの吹出口７ｃが形成され、内側はファン７ｈが配置される空間とその回転により送られる空気Ａの流れる空間が形成され、後部にモータ７ｇの後部を固定する固定部７ｅが形成され、下部にモータ７ｇを下方から支持する支持部７ｆが形成され、後部背面に取り付け場所に粘着する剥離紙付きの粘着テープ７ｍが設けられ、内側上部に光量の変化を感知する非接触式の光センサ７ｎが取り付けられ、モータ７ｇの下方にモータ７ｇの作動制御及び光センサ７ｎのスイッチ制御を行う制御基盤７ｐを配置している。ケース７ｄのモータ７ｇが配置された下方は掛止爪７ｋを備えたカバー７ｊで被覆され、ケース７ｄの後部とカバー７ｊの後部で形成された開口部分を空気Ａの吸込口７ｑとしている。
【００１２】
空気吹出機７の電源手段は、図６に示すように長さ３５０ｍｍの外径の異なる２体のフレーム８で伸縮自在に構成し、フレーム８の片側を開口し、フレーム８の内部に電源ケーブル１０を配線し、フレーム８の両端に他のフレーム８を電気的に接続できる連結部９を形成し、電源ケーブル１０の途中にコネクタ１１ａを備えた分岐ケーブル１１を接続してフレーム８の開口から引き出している。
【００１３】
この空気吹出機７を、図１，２に示すように複数の遊技機２（パチンコ機）が並列された遊技設備１の前面のテーブル５の側端部及び遊技機２間の壁面に吹出口７ｃがそれぞれ上向き及び手前向きとなるように粘着テープ７ｍや取付ネジ（図示せず）で取り付け、フレーム８は長さを調整して複数連結してテーブル５の下方に粘着テープ１２で粘着して取り付け、一方にスイッチング電源１３を介して１００Ｖに接続し、分岐ケーブル１１のコネクタ１１ａと空気吹出機７のモータ７ｇのコネクタ７ｉを接続して給電する。空気吹出機７のセンサ穴７ｂを指等で塞ぐと光センサ７ｎが光量の変化を感知し、制御基盤７ｐがモータ７ｇを作動させてファン７ｈが回転する。
【００１４】
図５に示すように、ファン７ｈの回転によりケース７ｄの後方の吸込口７ｑから空気Ａが吸い込まれ、ケース７ａ，７ｄの内側の空間を通って直交方向に転向しながら流速が高められて先端のスリット状の吹出口７ｃから吹き出される。吹き出された空気Ａは図１，２に示すように隣り合う遊技者Ｈ間を仕切るようにエアカーテンが形成される。このエアカーテンにより遊技者Ｈの喫煙による煙Ｓや他のホコリが隣りの遊技者に流れることなく空気Ａの流れとともに上方へ流れ、不快感を与えることがない。
【００１５】
センサ穴７ｂを塞ぐと光センサ７ｎが光量の変化を感知し、制御基盤７ｐがモータ７ｇを停止させる。制御基盤７ｐにはタイマを備え、作動開始後３〜５分程で停止するようにしてもよい。ファン７ｈの回転数はボリューム（可変抵抗器等）を備えて任意の風力に調整できるようにしてもよい。吹出口７ｃの付近には香料を配設して香りの良い空気Ａを吹き出し、タバコの煙Ｓ等の嫌な臭気を低減してもよい。
【００１６】
このように、本実施例では空気吹出機７が小型で遊技者Ｈが操作できるスイッチを備えているから、既設の遊技設備１の所定位置に後付けや取り外しが低コスト且つ容易に行えて汎用性に優れ、またスイッチにより遊技者Ｈや遊技設備１の管理者が必要に応じてＯＮ・ＯＦＦでき無駄がなく使い勝手に優れるものとなった。
【産業上の利用可能性】
【００１７】
本発明は、パチンコ機やスロットマシン等の複数の遊技機が並列した遊技設備に利用される。
【図面の簡単な説明】
【００１８】
【図１】実施例の遊技設備の正面図である。
【図２】実施例の遊技設備の側面図である。
【図３】実施例の空気吹出機の斜視図である。
【図４】実施例の空気吹出機の分解斜視図である。
【図５】実施例の空気吹出機の空気の吹き出しを示す説明図である。
【図６】実施例の電源手段の説明図である。
【符号の説明】
【００１９】
１  遊技設備
２  遊技機
３  ナンバーランプ
４  幕板
５  テーブル
６  椅子
７  空気吹出機
７ａ  ケース
７ｂ  センサ穴
７ｃ  吹出口
７ｄ  ケース
７ｅ  固定部
７ｆ  支持部
７ｇ  モータ
７ｈ  ファン
７ｉ  コネクタ
７ｊ  カバー
７ｋ  掛止爪
７ｍ  粘着テープ
７ｎ  光センサ
７ｐ  制御基盤
７ｑ  吸込口
８  フレーム
９  連結部
１０  電源ケーブル
１１  分岐ケーブル
１１ａ  コネクタ
１２  粘着テープ
１３  スイッチング電源
Ａ  空気
Ｈ  遊技者
Ｓ  煙
【図１】
2007111416.tif 000003
【図２】
2007111416.tif 000004
【図３】
2007111416.tif 000005
【図４】
2007111416.tif 000006
【図５】
2007111416.tif 000007
【図６】
2007111416.tif 000008